(57)【要約】【課題】多連梯子に取り付けたままの状態で使用したり収納したりすることができる梯子用手摺を提供する。【解決手段】梯子用手摺１は、支柱ＳＵに沿って設けられる手摺本体２と、最上の梯子ＬＡ１における支柱ＳＵに手摺本体２を固定する金具３と、を備えている。金具３は、第一片ＳＵ１の外面に重ねられて第一片ＳＵ１に支持される支持部３１と、支持部３１の後端に連続することで第三片ＳＵ３の外面に重ねられて第三片ＳＵ３にビスで固定される固定部３２と、固定部３２に連続することで二連梯子ＤＬとの間隔を保つように固定部３２から前方ＦＷに向けて延びている延部３３と、延部３３に連続することで二連梯子ＤＬの後端よりも前方ＦＷに手摺本体２を保持する保持部３４と、を有している。【選択図】図７
0003214347.tif 000002
【実用新案登録請求の範囲】
【請求項１】
左右一対の支柱の間に複数の踏桟が設けられた複数の梯子を伸縮可能に互いに連続させ、収縮時に前記複数の梯子が前後に重ねられ、前記支柱に設けられた滑車に引っ掛けられたロープが引っ張られることで後方側の前記梯子が前方側の前記梯子の上方に移動して伸長する多連梯子に、ビスで固定される梯子用手摺であって、
前記支柱に沿って設けられる手摺本体と、
最上の前記梯子における前記支柱に前記手摺本体を固定する金具と、を備え、
最上の前記梯子における前記左右一対の支柱は、それぞれ、短辺が前後に沿うように設けられ前記複数の踏桟が固定された第一片と、前記第一片に直交するように前記第一片の前端に連続することで短辺が左右に沿うように設けられた第二片と、前記第一片に直交するように前記第一片の後端に連続することで短辺が左右に沿うように設けられた第三片と、を有し、断面が、互いに背を向けた方向に開口する略コ字型であり、
前記金具は、前記第一片の外面に重ねられて前記第一片に支持される支持部と、前記支持部の後端に連続することで前記第三片の外面に重ねられて前記第三片に前記ビスで固定される固定部と、前記固定部に連続することで前記多連梯子との間隔を保つように前記固定部から前方に向けて延びている延部と、前記延部に連続することで前記多連梯子の後端よりも前方に前記手摺本体を保持する保持部と、を有していることを特徴とする
梯子用手摺。
【請求項２】
前記手摺本体は、伸縮可能であることを特徴とする
請求項１に記載の梯子用手摺。
【考案の詳細な説明】
【技術分野】
【０００１】
本考案は、伸縮可能な多連梯子に取り付けられる梯子用手摺に関する。
【背景技術】
【０００２】
特許文献１には、二連梯子に取り付けられる梯子用手摺が開示されている。この梯子用手摺は、Ｕ字ボルトを用いて踏桟に取り付けられることで、伸縮する二連梯子との干渉を防止している。
【先行技術文献】
【特許文献】
【０００３】
【特許文献１】特許第４７３７４７５号公報（図１２参照）
【考案の概要】
【考案が解決しようとする課題】
【０００４】
上記の梯子用手摺は、所望時に簡単に着脱できるアタッチメントであり、汎用性が高く実用的である。その反面、上記の梯子用手摺は、着脱に手間を要するものである。このような状況を受け、本出願の発明者は、二連梯子等の多連梯子に取り付けたままの状態で使用したり収納したりすることができる梯子用手摺の開発を行っていた。
【０００５】
本考案は、上記課題を鑑みてなされたものであり、多連梯子に取り付けたままの状態で使用したり収納したりすることができる梯子用手摺を提供することを目的とする。
【課題を解決するための手段】
【０００６】
（１）本考案は、左右一対の支柱の間に複数の踏桟が設けられた複数の梯子を伸縮可能に互いに連続させ、収縮時に前記複数の梯子が前後に重ねられ、前記支柱に設けられた滑車に引っ掛けられたロープが引っ張られることで後方側の前記梯子が前方側の前記梯子の上方に移動して伸長する多連梯子に、ビスで固定される梯子用手摺であって、前記支柱に沿って設けられる手摺本体と、最上の前記梯子における前記支柱に前記手摺本体を固定する金具と、を備え、最上の前記梯子における前記左右一対の支柱は、それぞれ、短辺が前後に沿うように設けられ前記複数の踏桟が固定された第一片と、前記第一片に直交するように前記第一片の前端に連続することで短辺が左右に沿うように設けられた第二片と、前記第一片に直交するように前記第一片の後端に連続することで短辺が左右に沿うように設けられた第三片と、を有し、断面が、互いに背を向けた方向に開口する略コ字型であり、前記金具は、前記第一片の外面に重ねられて前記第一片に支持される支持部と、前記支持部の後端に連続することで前記第三片の外面に重ねられて前記第三片に前記ビスで固定される固定部と、前記固定部に連続することで前記多連梯子との間隔を保つように前記固定部から前方に向けて延びている延部と、前記延部に連続することで前記多連梯子の後端よりも前方に前記手摺本体を保持する保持部と、を有していることを特徴とする梯子用手摺である。
【０００７】
本考案によれば、多連梯子に取り付けたままの状態において、伸縮する多連梯子との干渉を防止することができる。
【０００８】
（２）本考案はまた、前記手摺本体は、伸縮可能であることを特徴とする上記（１）に記載の梯子用手摺である。
【０００９】
上記考案によれば、手摺本体を伸長させておくことで使用することができ、手摺本体を収縮させておくことでコンパクトに収納することができる。
【考案の効果】
【００１０】
本考案の梯子用手摺によれば、多連梯子に取り付けたままの状態で使用したり収納したりすることができる。
【図面の簡単な説明】
【００１１】
【図１】本考案の実施形態に係る梯子用手摺を示す正面図である。
【図２】梯子用手摺を示す上面図である。
【図３】梯子用手摺を構成する金具の上面図である。
【図４】伸長した状態の二連梯子に固定された梯子用手摺の正面図である。
【図５】伸長した状態の二連梯子に固定された梯子用手摺の側面図である。
【図６】収縮した状態の二連梯子に固定された梯子用手摺の側面図である。
【図７】図４の矢印ＶII−ＶII方向に視た二連梯子に固定された梯子用手摺の断面図である。
【考案を実施するための形態】
【００１２】
以下、本考案の実施形態に係る梯子用手摺１について詳細に説明する。
【００１３】
まず、図１〜図７を用いて、梯子用手摺１の構成について説明する。図１は、梯子用手摺１を示す正面図である。図２は、梯子用手摺１を示す上面図である。図３は、梯子用手摺１を構成する金具３の上面図である。図４は、伸長した状態の二連梯子ＤＬに固定された梯子用手摺ＤＬの正面図である。図５は、伸長した状態の二連梯子ＤＬに固定された梯子用手摺１の側面図である。図６は、収縮した状態の二連梯子ＤＬに固定された梯子用手摺１の側面図である。図７は、図４の矢印ＶII−ＶII方向に視た二連梯子ＤＬに固定された梯子用手摺１の断面図である。
【００１４】
図面において、梯子用手摺１及び二連梯子ＤＬの前方を矢印ＦＷで示し、梯子用手摺１及び二連梯子ＤＬの後方を矢印ＢＷで示し、梯子用手摺１及び二連梯子ＤＬの左方を矢印ＬＳで示し、梯子用手摺１及び二連梯子ＤＬの右方を矢印ＲＳで示す。
【００１５】
図１、図２、及び図４〜図７に示す梯子用手摺１は、二連梯子ＤＬの左右に一本ずつビス（図示省略）等で固定されて、手摺付きの梯子として使用されるものである。
【００１６】
図４〜図７に示すように、梯子用手摺１が固定される二連梯子ＤＬは、左右一対の支柱ＳＵの間に複数の踏桟ＳＴが設けられた複数の梯子ＬＡ１，ＬＡ２を伸縮可能に互いに連続させ、収縮時に複数の梯子ＬＡ１，ＬＡ２が前後に重ねられ、支柱ＳＵに設けられた滑車ＰＵに引っ掛けられたロープＲＯが引っ張られることで後方ＢＷ側の梯子ＬＡ１が前方ＦＷ側の梯子ＬＡ２の上方に移動して伸長する。
【００１７】
最上の梯子ＬＡ１における左右一対の支柱ＳＵには、それぞれ、梯子用手摺１が固定される。図７に示すように、最上の梯子ＬＡ１における左右一対の支柱ＳＵは、それぞれ、第一片ＳＵ１と、第二片ＳＵ２と、第三片ＳＵ３と、を有し、その断面が、互いに背を向けた方向に開口する略コ字型である。この最上の梯子ＬＡ１における右方ＲＳの支柱ＳＵの内側には、梯子ＬＡ１に連続する梯子ＬＡ２に設けられている滑車ＰＵと、滑車ＰＵに引っ掛けられているロープＲＯと、が配置される。
【００１８】
第一片ＳＵ１は、その短辺が前後に沿うように設けられ複数の踏桟ＳＴが固定されている。第二片ＳＵ２は、第一片ＳＵ１に直交するように第一片ＳＵ１の前端に連続することでその短辺が左右に沿うように設けられている。第三片ＳＵ３は、第一片ＳＵ１に直交するように第一片ＳＵ１の後端に連続することでその短辺が左右に沿うように設けられている。
【００１９】
図１〜図７に示すように、梯子用手摺１は、手摺本体２と、上下一対の金具３と、を備えている。
【００２０】
手摺本体２は、伸縮可能な二重管構造を有し、支柱ＳＵに沿って設けられる。この手摺本体２は、収縮した状態から、内側の管が引っ張られて上方に移動することで伸長してロックされる。また、手摺本体２は、伸長した状態から、ロックが解除されて内側の管が押し込まれて下方に移動することで収縮する。
【００２１】
上下一対の金具３は、最上の梯子ＬＡ１における支柱ＳＵに手摺本体２を固定する。図７に示すように、金具３は、支持部３１と、固定部３２と、延部３３と、保持部３４と、凹部３５と、を有している。
【００２２】
支持部３１は、支柱ＳＵにおける第一片ＳＵ１の外面に重ねられて、第一片ＳＵ１にビス（図示省略）で固定されることで第一片ＳＵ１に支持される。符号３１ａは、支持部３１に形成されているビス孔である。固定部３２は、支持部３１の後端に連続することで、支柱ＳＵにおける第三片ＳＵ３の外面に重ねられて第三片ＳＵ３にビス（図示省略）で固定される。符号３２ａは、固定部３２に形成されているビス孔である。延部３３は、固定部３２に連続することで二連梯子ＤＬとの間隔を保つように固定部３２から前方ＦＷに向けて延びている。保持部３４は、手摺本体２が嵌まる環状であり、延部３３に連続することで二連梯子ＤＬの後端よりも前方ＦＷに手摺本体２を保持する。符号３３ａは、軽量化のために延部３３に形成されている肉抜孔である。凹部３５は、支持部３１と固定部３２とが連続する部分に形成された凹みであり、支柱ＳＵに設けられた出っ張りが入り込む。
【００２３】
このような梯子用手摺１によれば、二連梯子ＤＬに取り付けたままの状態において、伸縮する二連梯子ＤＬとの干渉を防止することができる。また、手摺本体２を伸長させておくことで使用することができ、手摺本体２を収縮させておくことでコンパクトに収納することができる。すなわち、梯子用手摺１によれば、二連梯子ＤＬに取り付けたままの状態で使用したり収納したりすることができる。
【００２４】
本考案は、上記実施形態に限られるものではなく、その趣旨及び技術思想を逸脱しない範囲で種々の変形が可能である。すなわち、各構成の位置、大きさ、長さ、数量、形状、材質などは適宜変更できる。
【００２５】
すなわち、上記実施形態では、梯子用手摺１が二連梯子ＤＬに取り付けられる場合を例に説明したが、本発明はこれに限定されるものではない。本発明に係る梯子用手摺は、二連梯子、その他の多連梯子に取り付けられるものである。
【符号の説明】
【００２６】
１  梯子用手摺
２  手摺本体
３  金具
３１  支持部
３２  固定部
３２ａ  ビス孔
３３  延部
３３ａ  肉抜孔
３４  保持部
３５  凹部
ＦＷ  前方
ＢＷ  後方
ＬＳ  左方
ＲＳ  右方
ＤＬ  二連梯子
ＬＡ１，ＬＡ２  梯子
ＳＵ  支柱
ＳＵ１  第一片
ＳＵ２  第二片
ＳＵ３  第三片
ＳＴ  踏桟
ＰＵ  滑車
ＲＯ  ロープ
【図１】
0003214347.tif 000003
【図２】
0003214347.tif 000004
【図３】
0003214347.tif 000005
【図４】
0003214347.tif 000006
【図５】
0003214347.tif 000007
【図６】
0003214347.tif 000008
【図７】
0003214347.tif 000009